(57)【要約】【課題】ガス弁の開閉を独立制御可能な多吹き口自由リード楽器を提供する。【解決手段】  本発明のガス弁の開閉を独立制御可能な多吹き口自由リード楽器は、琴体と、リード受け板と、第１制御ガス弁組と、第２制御ガス弁組と、を含み、琴体は、複数の第１ガス室と、第１ガス室と間隔を置いて隣接する複数の第２ガス室と、を開設する。リード受け板は、琴体に被さり、リード受け板は、複数の第１リード及び複数の第２リードを有し、第１リードは、第１ガス室に対応して配置され、第２リードは、第２ガス室に対応して配置される。第１制御ガス弁組は、第１ガス室に対応して設置される複数の第１係止板を含む。第２制御ガス弁組は、第２ガス室に対応して設置される複数の第２係止板を含む。演奏者が第１ガス室及び第２ガス室に対して気流を吹き送る時、手動方式で第１係止板及び第２係止板のそれぞれの開閉を制御し、第１リード及び第２リードに個別又は同時に音響を発出させる。【選択図】図３
2012047928.tif 000002
【特許請求の範囲】
【請求項１】
複数の第１ガス室と、該第１ガス室と間隔を置いて隣接する複数の第２ガス室と、を開設する琴体と、
該琴体に被さり、複数の第１リード及び複数の第２リードを有し、該第１リードが該第１ガス室に対応して配置され、該第２リードが該第２ガス室に対応して配置されるリード受け板と、
該第１ガス室に対応して設置される複数の第１係止板を含む第１制御ガス弁組と、
該第２ガス室に対応して設置される複数の第２係止板を含む第２制御ガス弁組と、
を含み、そのうち、演奏者が該第１ガス室及び第２ガス室に対して気流を吹き送る時、手動方式で該第１係止板及び該第２係止板のそれぞれの開閉を制御し、該第１リード及び該第２リードに個別又は同時に音響を発出させるガス弁の開閉を独立制御可能な多吹き口自由リード楽器。
【請求項２】
前記第１制御ガス弁組は、更に該第１係止板と固定接続する第１プッシャーを含む請求項１に記載のガス弁の開閉を独立制御可能な多吹き口自由リード楽器。
【請求項３】
前記第２制御ガス弁組は、更に該第２係止板と固定接続する第２プッシャーを含む請求項１に記載のガス弁の開閉を独立制御可能な多吹き口自由リード楽器。
【請求項４】
第１リードのＸ音階は、一大調七声音階であり、第２リードのＹ音階は、調性主音(Tonic)がＸ音階の調性主音 (Tonic)より高い短二度の他の一大調七聲音階であり、Ｘ音階の主音 (Tonic)がＹ音階の中音(Mediant)に対応し、Ｘ音階の上主音(Supetonic)がＹ音階の下属音(Subdominant)に対応し、Ｘ音階の中音(Mediant)がＹ音階の属音(Dominant)に対応し、Ｘ音階の下属音(Subdominant)は、Ｙ音階の下中音(Submediant)に対応し、Ｘ音階の属音(Dominant)は、Ｙ音階の導音(Leading Tone)に対応し、Ｘ音階の下中音(Submediant)は、Ｙ音階の主音(Tonic)に対応し、Ｘ音階の導音(Leading Tone)は、Ｙ音階の上主音(Supetonic)に対応する請求項１に記載のガス弁の開閉を独立制御可能な多吹き口自由リード楽器。
【請求項５】
第１リードのＸ音階は、一大調七声音階であり、第２リードＹ音階は、調性主音(Tonic)がＸ音階の調性主音 (Tonic)より高い長三度の他の一大調七聲音階であり、Ｘ音階の主音 (Tonic)がＹ音階の下属音(Subdominant)に対応し、Ｘ音階の上主音(Supetonic)がＹ音階の属音(Dominant)に対応し、Ｘ音階の中音(Mediant)は、Ｙ音階の下中音(Submediant)に対応し、Ｘ音階の下属音（Subdominant）は、Ｙ音階の導音(Leading Tone)に対応し、Ｘ音階の属音（Dominant）は、Ｙ音階の主音（Tonic）に対応し、Ｘ音階の下中音(Submediant)は、Ｙ音階の上主音(Supetonic)に対応し、Ｘ音階の導音(Leading Tone)は、Ｙ音階の中音(Mediant)に対応する請求項１に記載のガス弁の開閉を独立制御可能な多吹き口自由リード楽器。
【請求項６】
第１リードのＸ音階は、一大調七声音階であり、第２リードのＹ音階は、調性主音(Tonic)がＸ音階の調性主音 (Tonic)より高い短二度の他の一大調七聲音階であり、Ｘ音階の主音 (Tonic)がＹ音階の主音(Tonic)に対応し、Ｘ音階の上主音(Supetonic)がＹ音階の上主音(Supetonic)に対応し、Ｘ音階の中音(Mediant)がＹ音階の中音(Mediant)に対応し、Ｘ音階の下属音(Subdominant)は、Ｙ音階の下属音(Subdominant)に対応し、Ｘ音階の属音(Dominant)は、Ｙ音階の属音(Dominant)に対応し、Ｘ音階の下中音(Submediant)は、Ｙ音階の下中音(Submediant)に対応し、Ｘ音階の導音(Leading Tone)は、Ｙ音階の導音(Leading Tone)に対応する請求項１に記載のガス弁の開閉を独立制御可能な多吹き口自由リード楽器。
【請求項７】
第１及び第２係止板が独立制御可能な滑動式係止板である請求項１に記載のガス弁の開閉を独立制御可能な多吹き口自由リード楽器。
【請求項８】
更に２つのガス室組、２つのリード組及び２つの制御ガス弁組を増設し、４組の恩該の開閉を独立制御可能にする請求項１に記載のガス弁の開閉を独立制御可能な多吹き口自由リード楽器。
【発明の詳細な説明】
【技術分野】
【０００１】
本発明は、多吹き口自由リード楽器に関し、特にガス弁開閉を独立制御可能な多吹き口自由リード楽器に関する。
【背景技術】
【０００２】
図１及び図２は、それぞれ従来の半音階ハーモニカの立体分解図及び従来の半音階ハーモニカの立体外観図である。従来の半音階ハーモニカ１ａは、琴体１０ａと、リード受け板２０ａと、プッシュボタン３０ａと、マウスピース４０ａと、係止板５０ａと、カバー板６０ａと、を含む。琴体１０ａは、複数のガス室１１ａを開設し、リード受け板２０ａは、ガス室１１ａに対応して設置される複数のリード２１ａを有する。プッシュボタン３０ａは、琴体１０ａの前方に設置され、複数の貫通孔３１ａを有する。マウスピース４０は、プッシュボタン３０ａの前方に設置され、ガス室１１ａ及び貫通孔３１ａに対応する複数の通気口４１ａを有する。係止板５０ａは、マウスピース４０ａ及びプッシュボタン３０ａの間に挟持され、且つ係止板５０ａは、通気口４１ａ及び貫通孔３１に対応する複数の通孔５１を有する。また、半音階ハーモニカ１ａは、更にプッシュボタン３０ａに貫通設置される圧縮バネ７０ａを含む。
【０００３】
図３、図４は、それぞれ従来の半音階ハーモニカの正面透視図及び従来の半音階ハーモニカの正面透視動作図である。図３を参照し、正常状態において、係止板５０ａは、琴体１０ａ上半部に位置するガス室１１ａを係止し、下半部のガス室１１ａを露出する。下半部のガス室１１ａが対応する複数のリード２１ａは、第１種の音階の為のものであるので、下半部のガス室１１ａが開いた状態で第１種音階を演奏することのみできる。プッシュボタン３０ａを左向きに押圧する時、プッシュボタン３０ａに固定接続する係止板５０ａは、変位を発生し、琴体１０ａ上半部に位置するガス室１１ａを露出させ、且つ下半部のガス室１１ａを係止させる。上半部のガス室１１ａが対応する複数のリード２１ａは、第２種の音階の為であり、この状態において、第２種音階を演奏することのみでき、一般の状況において、この２音階が相互に半音異なる２大七声音階である。
【０００４】
従来の半音階ハーモニカは、プッシュボタン３０ａを有し、音の上げ下げを切り換えることができ、単声部旋律の演奏において、ほぼ障害を有さない。但し、２種の音階の間で切り換えを行なうことのみでき、且つリード２１ａの吹き、吸いは、同時に鳴らすことができず、リード２１ａの配列方式及び演奏者唇舌の制御能力の制限を考慮すれば、従来の半音階ハーモニカは、多くの常用和音の組み合わせを演奏することができない。例えば、Ｃ大調中、最も重要な双音和音、Ｃ−Ｆ（下属和弦の転位に用いる）、Ｇ−ｄ（属和弦に用いる）、Ｇ−ｆ（属七和弦に用いる）等は、従来の半音階ハーモニカにおいて、演奏することができない。
【０００５】
従って、前記自由リード楽器の和音演奏性能を如何に改善するかは、本発明者の研究課題となっている。
【発明の概要】
【発明が解決しようとする課題】
【０００６】
本発明の目的は、各第１リード及び各第２リードに個別又は同時に音響を発出させることができるガス弁の開閉を独立制御可能な多吹き口自由リード楽器を提供することにある。
【課題を解決するための手段】
【０００７】
上記の目的を達成する為、本発明が提供するガス弁の開閉を独立制御可能な多吹き口自由リード楽器は、琴体と、リード受け板と、第１制御ガス弁組と、第２制御ガス弁組と、を含み、該琴体は、複数の第１ガス室と、該第１ガス室と間隔を置いて隣接する複数の第２ガス室と、を開設する。該リード受け板は、該琴体に被さり、該リード受け板は、複数の第１リード及び複数の第２リードを有し、該第１リードは、該第１ガス室に対応して配置され、該第２リードは、該第２ガス室に対応して配置される。該第１制御ガス弁組は、該第１ガス室に対応して設置される複数の第１係止板を含む。該第２制御ガス弁組は、該第２ガス室に対応して設置される複数の第２係止板を含む。そのうち、演奏者が該第１ガス室及び第２ガス室に対して気流を吹き送る時、手動方式で該第１係止板及び該第２係止板のそれぞれの開閉を制御し、該第１リード及び該第２リードに個別又は同時に音響を発出させる。
【発明の効果】
【０００８】
本発明が従来技術と比較して達成する効果は、従来の半音階ハーモニカの２種音階を相互に切り換える制御のみでき、音響を同時に発出できないという欠陥を解決し、独立制御可能な制御ガス弁組を利用し、２種の音階のハーモニカに単独又は同時に音響を発出させることができ、且つ合理的なリード配列により、２種の音階が同時に鳴り響クコとができる特性を用い、楽器に調性音楽原理に合った多様な和音の組み合わせを奏でさせ、更に豊富な音楽表現力を達成することにある。
【図面の簡単な説明】
【０００９】
【図１】従来の半音階ハーモニカの立体分解図である。
【図２】従来の半音階ハーモニカの立体外観図である。
【図３】従来の半音階ハーモニカの正面透視図である。
【図４】従来の半音階ハーモニカの正面透視動作図である。
【図５】本発明の各部材の立体分解図である。
【図６】本発明の各部材の組み合わせ外観図である。
【図７】本発明の使用状態図（一）である。
【図８】本発明の使用状態図（二）である。
【図９】本発明の使用状態図（三）である。
【図１０】本発明の使用状態図（四）である。
【図１１】本発明の他の実施例の使用状態図（一）である。
【図１２】本発明の他の実施例の使用状態図（二）である。
【図１３】本発明の更に他の実施例の立体分解図である。
【図１４】本発明の更に他の実施例の使用状態図である。
【発明を実施するための形態】
【００１０】
本発明の詳細な説明及び技術的内容について、図面に合わせて以下に説明するが、図面は、参考及び説明用に提供するだけであり、本発明を制限することに用いるものではない。
【００１１】
図５、図６は、それぞれ本発明の各部材の立体分解図及び組み合わせ外観図であり、本発明は、ガス弁の開閉を独立制御可能な多吹き口自由リード楽器を提供し、この多吹き口自由リード楽器は、琴体１０と、リード受け板２０と、第１制御ガス弁組３０と、第２制御ガス弁組４０と、を含む。
【００１２】
琴体１０は、細長状矩形体であり、且つそれは、木、セラミック、プラスチック又は金属等の材料から形成される。琴体１０は、複数の第１ガス室１１及び各該第１ガス室１１と間隔を置いて隣接する複数の第２ガス室１２と、を開設する。第１ガス室１１及び第２ガス室１２の一端は、密閉端１７であり、他端は、開放端１６である。また、第１ガス室１１及び第２ガス室１２の一側の琴体１０上に収容室１３を開設する。第１ガス室１１及び第２ガス室１２の内壁は、それぞれ複数の定位壁１８を成型する。
【００１３】
リード受け板２０は、該琴体１０上に被さり、本実施例中、琴体１０の上方にのみリード受け板２０を被せてなるが、これに限定するものではない、琴体１０の上方および下方は、何れもリード受け板２０を被せてなることもできる。リード受け板２０は、複数の第１リード２１及び複数に第２リード２２を有する。第１リード２１は、それぞれ第１ガス室１１に対応して配設され、第２リード２２は、それぞれ第２ガス室１２に対応して配設される。第１リード２１は、第１種音階を構成し、第２リード組は、第２種音階を構成する。第１リード２１及び第２リード２２が構成する音階は、限定しないが、第１種音該は、第２種音階と異なる。また、第１リード２１は、Ｘ１リード、Ｘ２リード、Ｘ３リード、Ｘ４リード、Ｘ５リード、Ｘ６リード、Ｘ７リード、Ｘ８リードを有し、これらリードは、共同でＸ音階を構成するが、リードの数量は、この種の形態に制限するものではない。第２リード２２は、Ｙ１リード、Ｙ２リード、Ｙ３リード、Ｙ４リード、Ｙ５リード、Ｙ６リード、Ｙ７リード、Ｙ８リードを有し、これらリードは、共同でＹ音階を構成するが、リードの数量は、この種の形態に制限するものではなく、且つＹ音階のリード数は、Ｘ音階のリード数と異なることができる。
【００１４】
第１制御ガス弁組３０は、第１回転軸３１と、複数の第１係止板３２と、第１駆動板３３と、第１プッシャー３４（ここで、これに限定するものではないが、鍵、プッシュボタン又はその他の形態）と、圧縮バネ３５と、複数のトルクバネ３６と、を含む。第１回転軸３１は、定位壁１８上方及び蓋板２０の半円凹溝内に収容軸回転可能に接続する。各第１係止板３２は、第１回転軸３１に固定接続され、各第１係止板３２は、定位壁１８により定位される。第１係止板３２は、それぞれ第１ガス室１１に対応して設置され、第１ガス室１１の開放端１６に被さり、且つ定位壁１８により定位される。第１駆動板３３は、第１回転軸３１の一端に固定設置され、且つ部分が収容室１３内に収容される。また、第１係止板３２及び第１駆動板３３は、挟み角関係を呈して配置される。第１プッシャー３４は、第１駆動板３３上に設置され、下向に押圧でき、第１駆動板３３を係止し、第１回転軸３１を回転させ、第１係止板３２を開放させる。圧縮バネ３５は、第１プッシャー３４上に被せ設けられる。トルクバネ３６は、第１回転軸３１両端に被せ設けられ、琴体１０と相互に嵌合し、第１回転軸３１が力を受けない時、自動復位し、第１係止板３２を第１ガス室１１に塞がせる。
【００１５】
第２制御ガス弁組４０は、第２回転軸４１と、複数の第２係止板４２と、第２駆動板４３と、第２プッシャー４４と、圧縮バネ３５と、複数のトルクバネ４６と、を含む。第２回転軸４１は、定位壁１８上方及び蓋板２０の半円凹溝内に収容軸回転可能に接続する。各第２係止板４２は、第２回転軸４１に固定接続される。トルクバネ４６は、第２回転軸４１上に被せ設けられ、その両端は、それぞれ第２駆動板４３及び琴体１０と相互に係合される。第２係止板４２は、それぞれ第２ガス室１２に対応して設置され、第２ガス室１２の開放端１６に被さり、且つ定位壁１８により定位される。第２駆動板４３は、第２回転軸４１の一端に固定設置され、且つ部分が収容室１３内に収容される。また、第２係止板４２及び第２駆動板４３は、挟み角関係を呈する。第２プッシャー４４は、第２駆動板４３上に設置され、下向に押圧でき、第２駆動板４３を係止し、第２回転軸４１を回転させ、第２係止板４２を開放させる。トルクバネ４６は、第２回転軸４１が力を受けない時に自動復位させることに用いる。
【００１６】
また、本発明は、更に上カバー板５０を含み、それは、リード受け板２０の上方に設置され、上カバー板５０は、第１プッシャー３４及び第２プッシャー４４に対応する箇所にそれぞれ中空筒柱５１を成型し、中空筒柱５１内に通孔５２を形成し、第１プッシャー３４及び第２プッシャー４４を貫通設置させる。また、上カバー板５０の他の作用は、共鳴効果を強化することにあり、第１リード２１及び第２リード２２が発出する音響を集中し、且つリードを保護する作用を有する。
【００１７】
そのうち、第１プッシャー３４は、円盤３４１及び円盤３４１底部から延伸する延伸柱３４２を含み、延伸柱３４２の底部は、凸環３４３を成型する。同様に、第２プッシャー４４は、円盤４４１及び円盤４４１底部から延伸する延伸柱４４２を含み、延伸柱４４２の底部は、凸環４４３を成型する。操作時、それぞれ第１プッシャー３４及び第２プッシャー４４を押圧し、第１回転軸３１及び第２回転軸４１を回転させ、各第１係止板４２は、各第１係止板３２及び各第２係止板３２にそれぞれ第１ガス室１１及び各第２ガス室１２に対応して開閉を行なわせる。
【００１８】
図７は、本発明の使用状態図（一）であり、第１プッシャー３４を押下する時、第１係止板３２が開放し、気流を各第１ガス室１１から進入させ、第１リード２１のＸ１リード、Ｘ２リード、Ｘ３リード、Ｘ４リード、Ｘ５リード、Ｘ６リード、Ｘ７リード、Ｘ８リードを介して発生させ、即ち、演奏者は、Ｘ音階を演奏させることができる。そのうち、矢印が上向きのものは、吸気時に音響を発出し、矢印が下向きのものは、吸気時に音声を発出することを示す。
【００１９】
図８は、本発明の使用状態図（二）であり、第２プッシャー４４を押下する時、第２係止板４２が開放し、気流を各第２ガス室１２から進入させ、第２リード２２のＹ１リード、Ｙ２リード、Ｙ３リード、Ｙ４リード、Ｙ５リード、Ｙ６リード、Ｙ７リード、Ｙ８リードを介して発生させ、即ち、演奏者は、Ｙ音階を演奏させることができる。同様に、矢印が上向きのものは、吸気時に音響を発出し、矢印が下向きのものは、吸気時に音声を発出することを示す。
【００２０】
図９及び図１０は、本発明の使用状態図（三）及び（四）である。第１プッシャー３４及び第２プッシャー４４を同時に押下する時、第１係止板３２及び第２係止板４２は、同時に開放し、Ｘ音階及びＹ音階の構成音に同時に音響を発出させることができる。例えば、Ｘ１及びＹ１が同時に音響を発出し、Ｘ２及びＹ２が同時に音響を発出し、Ｘ３及びＹ３が同時に音響を発出する。
【００２１】
実際の演奏の要求について言えば、１２平均律を使用し、合理和音を提供できるリード配置は、これに限定するものではないが以下の３種を含む。
【００２２】
第１種配置：
Ｘ音階は、一大調七声音階であり、Ｙ音階は、調性主音(Tonic)がＸ音階の調性主音 (Tonic)より高い短二度の他の一大調七聲音階である。そのうち、Ｘ音階の主音 (Tonic)がＹ音階の中音(Mediant)に対応し、Ｘ音階の上主音(Supetonic)がＹ音階の下属音(Subdominant)に対応し、Ｘ音階の中音(Mediant)がＹ音階の属音(Dominant)に対応し、Ｘ音階の下属音(Subdominant)は、Ｙ音階の下中音(Submediant)に対応し、Ｘ音階の属音(Dominant)は、Ｙ音階の導音(Leading Tone)に対応し、Ｘ音階の下中音(Submediant)は、Ｙ音階の主音(Tonic)に対応し、Ｘ音階の導音(Leading Tone)は、Ｙ音階の上主音(Supetonic)に対応する。
【００２３】
第２種配置：
Ｘ音階は、一大調七声音階であり、Ｙ音階は、調性主音(Tonic)がＸ音階の調性主音 (Tonic)より高い長三度の他の一大調七聲音階である。そのうち、Ｘ音階の主音 (Tonic)がＹ音階の下属音(Subdominant)に対応し、Ｘ音階の上主音(Supetonic)がＹ音階の属音(Dominant)に対応し、Ｘ音階の中音(Mediant)は、Ｙ音階の下中音(Submediant)に対応し、Ｘ音階の下属音（Subdominant）は、Ｙ音階の導音(Leading Tone)に対応し、Ｘ音階の属音（Dominant）は、Ｙ音階の主音（Tonic）に対応し、Ｘ音階の下中音(Submediant)は、Ｙ音階の上主音(Supetonic)に対応し、Ｘ音階の導音(Leading Tone)は、Ｙ音階の中音(Mediant)に対応する。
【００２４】
第３種配置：
Ｘ音階は、一大調七声音階であり、Ｙ音階は、調性主音(Tonic)がＸ音階の調性主音 (Tonic)より高い短二度の他の一大調七聲音階である。そのうち、Ｘ音階の主音 (Tonic)がＹ音階の主音(Tonic)に対応し、Ｘ音階の上主音(Supetonic)がＹ音階の上主音(Supetonic)に対応し、Ｘ音階の中音(Mediant)がＹ音階の中音(Mediant)に対応し、Ｘ音階の下属音(Subdominant)は、Ｙ音階の下属音(Subdominant)に対応し、Ｘ音階の属音(Dominant)は、Ｙ音階の属音(Dominant)に対応し、Ｘ音階の下中音(Submediant)は、Ｙ音階の下中音(Submediant)に対応し、Ｘ音階の導音(Leading Tone)は、Ｙ音階の導音(Leading Tone)に対応する。
【００２５】
以上の３種のリードは、それぞれ異なる風格の楽曲に対して優れた和音表現を有する。第１種配置を例とし、Ｘ１がＣ大調七声音階の主音（Tonic）である場合：
X1=C,Y1=#E=F,
X2=D,Y2=#F=bG,
X3=E,Y3=#G=bA,
X4=F,Y4=#A=bB,
X5=G,Y5=#B=C,
X6=A,Y6=#C=bD,
X7=B,Y7=#D=bE,
X8=C,Y8=#E=Fである。
【００２６】
この配置において、第１プッシャー３４及び第２プッシャー４４を同時に押下し、唇でＸ１，Ｙ１を含み気流を吹き送り、Ｃ−Ｆ双音を得ることができる。水平移動する唇がＤ−＃Ｆ双音、Ｅ-＃Ｇ双音、Ａ-＃Ｃ双音、Ｂ-＃Ｄ双音等の対位法中に常用されるが、従来の半音階ハーモニカでは、演奏することができない双音和音を得ることもでき、唇の拡張及び舌先の応用を合わせれば、獲得できる和音効果はより豊富になり、このことから分かるように、改良楽器が達成することができ和音性能は、従来技術より遥かに優れている。
【００２７】
上記の実施例は、各ガス室が単一リードに対応しているが、各ガス室が吹気リード及び吸気リードに対応するよう修正すれば、図１１に示すように、相似した楽器機能を達成することもできる。
【００２８】
図１２に示すように、第１制御ガス弁組３０及び第２制御ガス弁組４０を独立動作する滑動式の係止板に変えて実施すれば、この実施例は、第２プッシャー４４を開放すれば、Ｙ音階が密閉され音響を発出しなくなる。
【００２９】
この改良楽器上に更に多組のガス室、リード組及び制御ガス弁を増設すれば、より多くの音階を同時又は個別に音響を発出するよう独立制御でき、より豊富な和音表現を獲得することができる。図１３は、楽器上２つの独立音階を増設するよう改良したものであり、本発明は、更に第３制御ガス弁組６０及び第４制御ガス弁組７０を含むことができる。琴体１０は、更に複数の第３ガス室１４及び各第３ガス室１４と隣接する複数の第４ガス室１５を含む。本実施例中、各第１ガス室１１及び各第２ガス室１２は、琴体１０の上半部に位置する。各第３ガス室１４及び各第４ガス室１５は、琴体１０の下半部に位置する。
【００３０】
本考案は、更にもう１つの下蓋板９０を含み、下蓋板９０は、琴体１０の下方に設置され、下蓋板９０は、複数の第３リード９１及び複数の第４リード９２を含む。第３リード９１のリードは、第３種音階（Ｗ音階、Ｗ１、Ｗ２、Ｗ３、Ｗ４、Ｗ５、Ｗ６、Ｗ７、Ｗ８等を含む第３リード)を構成し、第４リード９２のリードは、第４種音階（Ｚ音階、Ｚ１、Ｚ２、Ｚ３、Ｚ４、Ｚ５、Ｚ６、Ｚ７、Ｚ８等を含む第４リード)を構成することができる。本考案は、更に下カバー板８０を含み、下カバー板８０は、琴体１０下方に被さる。第３制御ガス弁組６０は、第３ガス室１４及び第３リード９１に対応して設置される。第４制御ガス弁組７０は、第４ガス室１５及び第４リード９２に対応して設置され、このように、４組の独立音階の実施例を構成する。
【００３１】
図１４は、図５が開示する実施例の１つの可能なリード配置であり、このリード配置において、Ｗ音階及びＸ音階の間は、第２種配置の関係であり、Ｘ音階及びＹ音階の間は、第１種の配置の関係であり、Ｙ音階及びＺ音階の間は、第３種配置の関係である。この４組の独立音階を有する実施例は、任意の形式の二声部対位法をほぼ演奏することができる。
2012047928.tif 000003
【００３２】
上記のように、本発明のガス弁開閉を独立盛業可能な多吹き口自由リード楽器は、産業利用性、新規性及び進歩性を既に有している。
【符号の説明】
【００３３】
＜従来技術＞
１ａ      半音階ハーモニカ
１０ａ    琴体
１１ａ    ガス室
２０ａ    リード受け板
２１ａ    リード
３０ａ    プッシュボタン
３１ａ    貫通孔
４０ａ    マウスピース
４１ａ    通気口
５０ａ    パッド
５１ａ    通孔
６０ａ    カバー板
７０ａ    圧縮バネ
＜本発明＞
１        多吹き口自由リード楽器
１０      琴体
１１      第１ガス室
１２      第２ガス室
１３      収容室
１４      第３ガス室
１５      第４ガス室
１６      開放端
１７      密閉端
１８      定位壁
２０      リード受け板
２１      第１リード
２２      第２リード
３０      第１制御ガス弁組
３１      第１回転軸
３２      第１係止板
３３      第１駆動板
３４      第１プッシャー
３４１    円盤
３４２    延伸柱
３４３    凸環
３５      圧縮バネ
３６      トルクバネ
４０      第２制御ガス弁組
４１      第２回転軸
４２      第２係止板
４３      第２駆動板
４４      第２プッシャー
４４１    円盤
４４２    延伸柱
４４３    凸環
４５      圧縮バネ
４６      トルクバネ
５０      上カバー板
５１      中空筒柱
５２      通孔
６０      第３制御ガス弁組
７０      第４制御ガス弁組
８０      下カバー板
９０      下蓋板
９１      第３リード
９２      第４リード
Ｘ１，Ｘ２，Ｘ３，Ｘ４，Ｘ５，Ｘ６，Ｘ７，Ｘ８  Ｘ音階構成音のリード
Ｙ１，Ｙ２，Ｙ３，Ｙ４，Ｙ５，Ｙ６，Ｙ７，Ｙ８  Ｙ音階構成音のリード
Ｗ１，Ｗ２，Ｗ３，Ｗ４，Ｗ５，Ｗ６，Ｗ７，Ｗ８  Ｗ音階構成音のリード
Ｚ１，Ｚ２，Ｚ３，Ｚ４，Ｚ５，Ｚ６，Ｚ７，Ｚ８  Ｚ音階構成音のリード
【図１】
2012047928.tif 000004
【図２】
2012047928.tif 000005
【図３】
2012047928.tif 000006
【図４】
2012047928.tif 000007
【図５】
2012047928.tif 000008
【図６】
2012047928.tif 000009
【図７】
2012047928.tif 000010
【図８】
2012047928.tif 000011
【図９】
2012047928.tif 000012
【図１０】
2012047928.tif 000013
【図１１】
2012047928.tif 000014
【図１２】
2012047928.tif 000015
【図１３】
2012047928.tif 000016
【図１４】
2012047928.tif 000017